(57)【要約】【課題】スライド構造の携帯端末に用いられる接続ケーブルによる影響を排除できるとともに、簡易な構成で良好なアンテナ特性を得ることができる携帯端末を提供する。【解決手段】導電性部材５を下基板２のグランドパターンと電気的に接続するとともに、これを下基板２のアンテナ素子６が配置された面と対向する面で且つフレキシブルケーブル４と容量結合が可能な位置に配置する。したがって、下筐体と上筐体が閉じている閉じ状態では、導電性部材５が、アンテナ素子６のグランド板の役割を果たし、下筐体に対して上筐体がスライドしているスライド状態では、導電性部材５が、アンテナ素子６のグランド板の役割を果たすとともに、フレキシブルケーブル４と容量結合させて最適な容量とすることで、下基板２と上基板３のそれぞれに流れる電流の位相を同位相とすることができる。【選択図】図１
2009194689.tif 000002
【特許請求の範囲】
【請求項１】
第１の筐体と、
前記第１の筐体内部に設けた第１の基板と、
前記第１の筐体に対して摺動する第２の筐体と、
前記第２の筐体内部に設けた第２の基板と、
前記第１の基板と前記第２の基板を電気的に接続する接続ケーブルと、
前記第１の基板のグランドパターンと電気的に接続した導電性部材と、
前記第１の筐体に内蔵したアンテナ素子とを備え、
前記導電性部材を、前記第１の基板の前記アンテナ素子が配置された面と対向する面で且つ前記接続ケーブルと容量結合が可能な位置に配置する携帯端末。
【請求項２】
前記導電性部材は、一部を折り返すことにより折り返し片を形成し、前記折り返し片を前記第２の筐体面と垂直に配置する請求項１に記載の携帯端末。
【発明の詳細な説明】
【技術分野】
【０００１】
本発明は、２つの筐体からなり、一方の筐体が他方の筐体に対してスライドする構造を有し、更に一方の筐体内部に設けられた基板と他方の筐体内部に設けられた基板とがフレキシブルケーブルで電気的に接続された携帯端末に関する。
【背景技術】
【０００２】
従来、携帯端末のアンテナ特性の向上を図ったものがある。特許文献１では、２つの放射素子を対向に配置するとともに、それぞれに対する給電を切替え自由とし、給電を行わない放射素子を接地導体として、基板のグランドに接地するようにしている。２つの放射素子を使用形態に応じて切替えを行うことで、良好なアンテナ特性を得ている。
【０００３】
また、特許文献２では、スライド構造を採り、スライド用のレールもしくはスライダを基板のグランドに接地もしくはリアクタンス素子を介して接地するようにしている。このようにすることで、上筐体に流れる電流の分布（位相）を変化させ、スライドした際に良好なアンテナ特性を得ている。
【０００４】
【特許文献１】特開２００６−２４５８６８号公報
【特許文献２】特開２００６−２０３８０６号公報
【発明の開示】
【発明が解決しようとする課題】
【０００５】
しかしながら、特許文献１で開示されたアンテナ特性向上技術は、スライド構造の携帯端末には適用することができない。即ち、スライド構造の携帯端末には第１の筐体（第１の基板）と第２の筐体（第２の基板）とを電気的に接続するケーブル（一般的に“フレキシブルケーブル”と呼ばれている）があるため、当該ケーブルによる影響を排除することができないからである。
【０００６】
また、特許文献２で開示されたアンテナ特性向上技術は、スライド構造の携帯端末を想定したものであり、上述した接続ケーブルによる影響を排除することが可能であるが、レールもしくはスライダを基板に接続するための接点保証などの具現化が困難なため、簡易な構成で良好なアンテナ特性を得ることができない。
【０００７】
本発明は、かかる事情に鑑みてなされたものであり、スライド構造の携帯端末に用いられる接続ケーブルによる影響を排除できるとともに、簡易な構成で良好なアンテナ特性を得ることができる携帯端末を提供することを目的とする。
【課題を解決するための手段】
【０００８】
本発明の携帯端末は、第１の筐体と、前記第１の筐体内部に設けた第１の基板と、前記第１の筐体に対して摺動する第２の筐体と、前記第２の筐体内部に設けた第２の基板と、前記第１の基板と前記第２の基板を電気的に接続する接続ケーブルと、前記第１の基板のグランドパターンと電気的に接続した導電性部材と、前記第１の筐体に内蔵したアンテナ素子とを備え、前記導電性部材を、前記第１の基板の前記アンテナ素子が配置された面と対向する面で且つ前記接続ケーブルと容量結合が可能な位置に配置する。
【０００９】
この構成によれば、第１の筐体と第２の筐体が閉じている閉じ状態では、導電性部材が、アンテナ素子のグランド板の役割を果たす。また、第２の筐体を第１の筐体に対してスライドさせたスライド状態では、導電性部材が、アンテナ素子のグランド板の役割を果たすとともに、接続ケーブルと容量結合させて最適な容量とすることで、第１の基板と第２の基板のそれぞれに流れる電流の位相を同位相とすることができる。したがって、スライド構造の携帯端末において取り得る状態即ち閉じ状態とスライド状態の双方において良好なアンテナ特性を得ることができる。また、それを簡易な構成で実現できるとともにアンテナのグランド板と容量結合板の共用化により省スペース化が図れる。
【００１０】
また、上記構成において、前記導電性部材は、一部を折り返すことにより折り返し片を形成し、前記折り返し片を前記第２の筐体面と垂直に配置する。
【００１１】
この構成によれば、導電性部材の一部を第２の筐体面と垂直に配置させることで、折り返し片をスライド状態に因らず地線として作用させることができ、これによってアンテナの帯域幅が広くなって良好なアンテナ特性が得られる。因みに、この折り返し片を第２の筐体面と平行になるように配置させると、第２の基板と容量結合して折り返し片が地線として作用しない。
【発明の効果】
【００１２】
本発明によれば、導電性部材を第１の基板のグランドパターンと電気的に接続するとともに、これを第１の基板のアンテナ素子が配置された面と対向する面で且つ接続ケーブルと容量結合が可能な位置に配置したので、スライド構造の携帯端末に用いられる接続ケーブルによる影響を排除できるとともに、簡易な構成で良好なアンテナ特性を得ることができる。
【発明を実施するための最良の形態】
【００１３】
以下、本発明を実施するための好適な実施の形態について、図面を参照して詳細に説明する。
【００１４】
図１は、本発明の一実施の形態に係る携帯端末の内部の概略構成を示す図である。図１において、本実施の形態の携帯端末１は、下筐体に対して上筐体を垂直方向にスライドさせるスライド構造を採ったものであり、図２は下筐体と上筐体を合わせた閉じ状態を示す斜視図、図３は下筐体に対して上筐体をスライドさせたスライド状態を示す斜視図である。
【００１５】
図１〜図３において、本実施の形態の携帯端末１は、図示せぬ第１の筐体（以下“下筐体”と呼ぶ）の内部に設けた第１の基板（以下“下基板”と呼ぶ）２と、下筐体に対して摺動する図示せぬ第２の筐体（以下“上筐体”と呼ぶ）の内部に設けた第２の基板（以下“上基板”と呼ぶ）３と、下基板２と上基板３を電気的に接続する接続ケーブル（以下“フレキシブルケーブル”と呼ぶ）４と、下基板２のグランドパターンと電気的に接続した導電性部材５と、下筐体に内蔵したアンテナ素子６とを備えて構成される。
【００１６】
フレキシブルケーブル４は、その長さが携帯端末１で使用される周波数（動作周波数）のλ／８以上になっている。例えば、携帯端末１で使用される周波数が８００ＭＨｚ帯の場合、１００ｍｍ程度になる。導電性部材５は、下基板２のアンテナ素子６が配置された面と対向する面で且つフレキシブルケーブル４と容量結合が可能な位置に配置されている。図４は、下基板２と、上基板３と、フレキシブルケーブル４と、導電性部材５と、アンテナ素子６との位置関係を示す概略図である。導電性部材５は短絡点８ｂにて下基板２のグランドパターン（図示略）に接続されている。
【００１７】
導電性部材５は、下筐体に対して上筐体をスライドさせた状態で、フレキシブルケーブル４との容量結合により最適な容量となるように、面積とフレキシブルケーブル４との間の距離が決められている。なお、一般的に容量Ｃは次式により求めることができる。
Ｃ＝Ｓ（面積）／ｄ（距離）
【００１８】
フレキシブルケーブル４との容量結合により最適な容量となるように、導電性部材５の面積及びフレキシブルケーブル４との間の距離を決めることで、図４に示すように、下筐体に対して上筐体をスライドさせたスライド状態での下基板２の電流の位相方向Ｂと上基板３の電流位相方向Ｃとが揃うことになる。これにより、フレキシブルケーブル４による影響を排除することができ、安定した良好なアンテナ特性が得られる。因みに、導電性部材５が無い場合は、動作周波数のλ／８以上の長さのフレキシブルケーブル４の影響を受けて、下基板２での電流の位相方向Ｂと上基板３での電流の位相方向Ｃが逆位相になり、アンテナ特性が劣化してしまう。
【００１９】
図６は、動作周波数を８００ＭＨｚ帯とした場合のスライド時の特性を示すグラフである。この図において、横軸は周波数、縦軸はＶＳＷＲ（Volt Standing Wave Ratio）である。また、実線は導電性部材５とフレキシブルケーブル４との間隔が０．６ｍｍのときの特性を示し、点線は導電性部材５とフレキシブルケーブル４との間隔が０．５ｍｍのときの特性を示している。この図から分かるように、本実施の形態の携帯端末１では、導電性部材５とフレキシブルケーブル４との間隔を０．６ｍｍにすることで良い結果が得られる。
【００２０】
また、導電性部材５は、下筐体と上筐体を合わせた閉じ状態では、下基板２のグランドパターンを延長させたグランド板の役割を果たす。下基板２のグランドパターンを延長させることで良好なアンテナ特性が得られる。この場合、グランド板としての導電性部材５の形状によりアンテナ素子６のグランド条件を任意に変えることができ、携帯端末１の設計の自由度を増やすことができる。
【００２１】
このように、スライド構造の携帯端末１の各状態（閉じ状態とスライド状態）のいずれにおいても安定して良好なアンテナ特性を得ることができる。しかもそれを簡単な構成で実現でき、またグランド板と容量結合板の共用化により省スペース化も図れる。
【００２２】
また、導電性部材５には、図５に示すように、一部を本体に対して垂直に折り返した折り返し片５ａが設けられている。図５の（ａ）は導電性部材５の平面図であり、（ｂ）は（ａ）において矢印Ａ方向から見た側面図である。折り返し片５ａは上筐体面と垂直になるように配置される。この折り返し片５ａは、上筐体を下筐体に対してスライドさせた状態によらず地線として作用させることができ、アンテナ素子６の帯域幅が広くなり、良好なアンテナ特性が得られる。因みに、この折り返し片５ａを第２の筐体面と平行になるように配置させると、スライド状態の際に折り返し片が第２の基板と容量結合して地線として作用しない。
【００２３】
図７は、動作周波数を２ＧＭＨｚ帯とした場合の閉じ状態時の特性を示すグラフである。この図において、横軸は周波数、縦軸はＶＳＷＲである。また、実線は折り返し片５ａが有る場合の特性を示し、点線は折り返し片５ａが無い場合の特性を示している。この図から分かるように、折り返し片５ａが有ることで良好なアンテナ特性が得られる。即ち、動作周波数の上限部分のＶＳＷＲの立ち上がりが緩やかになる。一方、図８は、動作周波数を２ＧＭＨｚ帯とした場合のスライド状態時の特性を示すグラフである。この図において、横軸は周波数、縦軸はＶＳＷＲである。また、実線は折り返し片５ａが有る場合の特性を示し、点線は折り返し片５ａが無い場合の特性を示している。この図から分かるように、折り返し片５ａが有ることで良好なアンテナ特性が得られる。このように、導電性部材５に折り返し片５ａを設けることで、閉じ状態時でもスライド状態時でも良好なアンテナ特性を得ることができる。
【００２４】
図４において、アンテナ素子６は、下基板２から給電点７によって給電され、また短絡点８ａによって下基板２のグランドパターン（図示略）に接続される。これにより、アンテナ素子６は逆Ｆアンテナの動作を行う。アンテナ素子６は、下基板２の面上から突起しており、その下に導電性部材５が位置する。
【００２５】
以上のように、本実施の形態の携帯端末１によれば、導電性部材５を下基板２のグランドパターンと電気的に接続するとともに、これを下基板２のアンテナ素子６が配置された面と対向する面で且つフレキシブルケーブル４と容量結合が可能な位置に配置したので、下筐体と上筐体が閉じている閉じ状態では、導電性部材５が、逆Ｆアンテナであるアンテナ素子６のグランド板の役割を果たし、下筐体に対して上筐体がスライドしているスライド状態では、導電性部材５が、逆Ｆアンテナであるアンテナ素子６のグランド板の役割を果たすとともに、フレキシブルケーブル４と容量結合させて最適な容量とすることで、下基板２と上基板３のそれぞれに流れる電流の位相を同位相とすることができる。したがって、スライド構造の携帯端末において取り得る状態即ち閉じ状態とスライド状態の双方において良好なアンテナ特性を得ることができる。また、それを簡易な構成で実現できるとともにグランド板と容量結合板の共用化により省スペース化が図れる。
【００２６】
また、導電性部材５に折り返し片５ａを設けて、それを上筐体面と垂直に配置するようにしたので、折り返し片を、上筐体を下筐体に対してスライドさせたスライド状態に因らず地線として作用させることができ、これによってアンテナ素子６の帯域幅が広くなって良好なアンテナ特性が得られる。
【００２７】
なお、上記実施の形態では、基板の長辺方向へスライドする携帯端末について説明したが、短辺方向へもスライドする、３つの状態（閉じ状態、長辺（垂直）方向のスライド状態、長辺（垂直）方向且つ短辺（水平）方向のスライド状態）を採る携帯端末においても同様の効果を得ることができる。短辺方向へスライドする場合には、導電性部材５がアンテナ素子６のグランド板としての役割を果たすので、閉じ状態と同様に良好なアンテナ特性を得ることができる。勿論、２つの状態（閉じ状態、短辺（水平）方向のスライド状態）を採る携帯端末においても同様の効果を得ることができる。図９は、短辺方向にスライドする携帯端末１Ａの内部の概略構成を示す図である。この図において、２Ａは下基板、３Ａは上基板である。その他の部分は図１と共通である。
【００２８】
なお、上記実施の形態では、フレキシブルケーブル４の長さが動作周波数のλ／８以上の場合について説明したが、携帯端末によってはそれ以下でも同様の効果が得られる。
【産業上の利用可能性】
【００２９】
本発明は、スライド構造の携帯端末に用いられる接続ケーブルによる影響を排除できるとともに、簡易な構成で良好なアンテナ特性を得ることができるといった効果を有し、スライド構造の携帯電話やＰＨＳ（Personal Handy-phone System）などへの適用が可能である。
【図面の簡単な説明】
【００３０】
【図１】本発明の一実施の形態に係る携帯端末の内部の概略構成を示す図
【図２】図１の携帯端末の下筐体と上筐体を合わせた閉じ状態を示す斜視図
【図３】図１の携帯端末の下筐体に対して上筐体をスライドさせたスライド状態を示す斜視図
【図４】図１の携帯端末の下基板と、上基板と、フレキシブルケーブルと、導電性部材と、アンテナ素子との位置関係を示す概略図
【図５】図１の携帯端末の導電性部材を示す図
【図６】図１の携帯端末において動作周波数を８００ＭＨｚ帯とした場合のスライド時の特性を示すグラフ
【図７】図１の携帯端末において動作周波数を２ＧＭＨｚ帯とした場合の閉じ状態時の特性を示すグラフ
【図８】図１の携帯端末において動作周波数を２ＧＭＨｚ帯とした場合のスライド状態時の特性を示すグラフ
【図９】短辺方向にスライドする携帯端末の内部の概略構成を示す図
【符号の説明】
【００３１】
１、１Ａ  携帯端末
２、２Ａ  下基板
３、３Ａ  上基板
４  フレキシブルケーブル
５  導電性部材
５ａ  折り返し片
６  アンテナ素子
７  給電点
８ａ、８ｂ  短絡点
【図１】
2009194689.tif 000003
【図２】
2009194689.tif 000004
【図３】
2009194689.tif 000005
【図４】
2009194689.tif 000006
【図５】
2009194689.tif 000007
【図６】
2009194689.tif 000008
【図７】
2009194689.tif 000009
【図８】
2009194689.tif 000010
【図９】
2009194689.tif 000011